(57)【要約】【課題】受信チャネル品質測定用信号の送信帯域を効率的に割り当てることができる基地局及びユーザ端末並びに受信チャネル品質測定用信号の送信制御方法を提供する。【解決手段】システム帯域幅内に離散的に分散した周波数サブキャリアからなる分散型周波数ブロックを割り当てる分散型ＦＤＭＡにより、各ユーザ端末が送信する受信チャネル品質測定用信号が多重され、システム帯域幅は２分木構造が適用され、各分割帯域が２分される無線通信システムの基地局に、各ユーザ端末により通知された、自基地局との間のパスロスに基づいて、各ユーザ端末に割り当てる受信チャネル品質測定用信号の送信帯域幅を決定する手段と、分割帯域のうち、決定された送信帯域幅に対応する分割帯域を割り当て、送信周波数を決定する手段と、送信帯域幅及び送信周波数を各ユーザ端末に通知する手段とを備えることにより達成される。【選択図】図５
2008172375.tif 000002
【特許請求の範囲】
【請求項１】
システム帯域幅内に離散的に分散した周波数サブキャリアからなる分散型周波数ブロックを割り当てる分散型ＦＤＭＡにより、各ユーザ端末が送信する受信チャネル品質測定用信号が多重され、
前記システム帯域幅は２分木構造が適用され、各分割帯域は２分され、
各ユーザ端末により通知された、自基地局との間のパスロスに基づいて、各ユーザ端末に割り当てる受信チャネル品質測定用信号の送信帯域幅を決定する送信帯域幅決定手段；
前記分割帯域のうち、決定された送信帯域幅に対応する分割帯域を割り当て、送信周波数を決定する送信周波数決定手段；
前記送信帯域幅及び前記送信周波数を、各ユーザ端末に通知する送信方式通知手段；
を備えることを特徴とする基地局。
【請求項２】
請求項１に記載の基地局において：
前記送信帯域幅決定手段は、前記システム帯域幅をＢＷ０、前記２分木構造における階層数をｎ（ｎは、ｎ＞０の整数）とした場合に、各ユーザ端末にＢＷ０／２ｎの帯域を割り当てることを特徴とする基地局。
【請求項３】
請求項１又は２に記載の基地局において：
前記ユーザ端末は、最大送信電力値を通知し、
前記送信帯域幅決定手段は、前記最大送信電力値に基づいて、各ユーザ端末に割り当てる受信チャネル品質測定用信号の送信帯域幅を決定することを特徴とする基地局。
【請求項４】
請求項１又は２に記載の基地局において：
前記ユーザ端末は、受信チャネル品質測定用信号の送信電力と最大送信電力とのマージンを通知し、
前記送信帯域幅決定手段は、前記受信チャネル品質測定用信号の送信電力と最大送信電力とのマージンに基づいて、各ユーザ端末に割り当てる受信チャネル品質測定用信号の送信帯域幅を決定することを特徴とする基地局。
【請求項５】
請求項２ないし４のいずれか１項に記載の基地局において：
使用する受信チャネル品質測定用信号の送信帯域幅の組み合わせが複数用意され、
前記受信チャネル品質測定用信号の送信帯域幅の組み合わせは、前記階層数が異なり、
前記パスロスの分布に基づいて、前記受信チャネル品質測定用信号の帯域幅の組み合わせを決定する送信帯域幅制御手段；
を備え、
前記送信帯域幅決定手段は、前記組み合わせに基づいて、各ユーザ端末に割り当てる受信チャネル品質測定用信号の送信帯域を決定することを特徴とする基地局。
【請求項６】
請求項５に記載の基地局において：
前記送信帯域幅制御手段は、予め決定される所定のパスロス以上となるユーザ端末が、予め決定される所定数未満である場合には、広帯域の受信チャネル品質測定用信号の送信帯域を割り当てることができる組み合わせを使用することを決定し、予め決定される所定のパスロス以上となるユーザ端末が、予め決定される所定数以上である場合には、前記広帯域よりも狭い狭帯域の受信チャネル品質測定用信号の送信帯域を割り当てることができる組み合わせを使用することを決定することを特徴とする基地局装置。
【請求項７】
システム帯域幅内に離散的に分散した周波数サブキャリアからなる分散型周波数ブロックを割り当てる分散型ＦＤＭＡにより、各ユーザ端末が送信する受信チャネル品質測定用信号が多重され、
前記システム帯域幅は２分木構造が適用され、各分割帯域は２分され、
各ユーザ端末により通知された基地局との間のパスロスに基づいて、各ユーザ端末に割り当てる受信チャネル品質測定用信号の送信帯域幅が決定され、前記分割帯域のうち、決定された送信帯域幅に対応する分割帯域が割り当てられることにより、送信周波数が決定され、
基地局により通知された前記送信帯域幅及び前記送信周波数に基づいて、受信チャネル品質測定用信号の信号系列をサブキャリアにマッピングするデータマッピング手段；
を備えることを特徴とするユーザ端末。
【請求項８】
システム帯域幅内に離散的に分散した周波数サブキャリアからなる分散型周波数ブロックを割り当てる分散型ＦＤＭＡにより、各ユーザ端末が送信する受信チャネル品質測定用信号が多重され、
前記システム帯域幅は２分木構造が適用され、各分割帯域は２分され、
各ユーザ端末により通知される該ユーザ装置と自基地局との間のパスロスを受信する受信ステップ；
自基地局との間のパスロスに基づいて、各ユーザ端末に割り当てる受信チャネル品質測定用信号の送信帯域幅を決定する送信帯域幅決定ステップ；
前記分割帯域のうち、決定された送信帯域幅に対応する分割帯域を割り当て、送信周波数を決定する送信周波数決定ステップ；
前記送信帯域幅及び前記送信周波数を、各ユーザ端末に通知する送信方式通知ステップ；
を有することを特徴とする受信チャネル品質測定用信号の送信制御方法。
【発明の詳細な説明】
【技術分野】
【０００１】
本発明は、ＬＴＥ（Ｌｏｎｇ  Ｔｅｒｍ  Ｅｖｏｌｕｔｉｏｎ）システムに関し、特に基地局及びユーザ端末並びに受信チャネル品質測定用信号の送信制御方法に関する。
【背景技術】
【０００２】
Ｗ−ＣＤＭＡやＨＳＤＰＡの後継となる通信方式、すなわちＬＴＥ（Ｌｏｎｇ  Ｔｅｒｍ  Ｅｖｏｌｕｔｉｏｎ）（別名：Ｅｖｏｌｖｅｄ  ＵＴＲＡ  ａｎｄ  ＵＴＲＡＮ，或いは，Ｓｕｐｅｒ  ３Ｇ）が、Ｗ−ＣＤＭＡの標準化団体３ＧＰＰにより検討され、無線アクセス方式として、下りリンクについてはＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）、上りリンクについてはＳＣ−ＦＤＭＡ（Ｓｉｎｇｌｅ−Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）が検討されている（例えば、非特許文献１参照）。
【０００３】
ＯＦＤＭは、周波数帯域を複数の狭い周波数帯域（サブキャリア）に分割し、各周波数帯上にデータを載せて伝送を行う方式であり、サブキャリアを周波数上に、一部重なりあいながらも互いに干渉することなく密に並べることで、高速伝送を実現し、周波数の利用効率を上げることができる。
【０００４】
ＳＣ−ＦＤＭＡは、周波数帯域を分割し、複数の端末間で異なる周波数帯域を用いて伝送することで、端末間の干渉を低減することができる伝送方式である。ＳＣ−ＦＤＭＡでは、送信電力の変動が小さくなる特徴を持つことから、端末の低消費電力化及び広いカバレッジを実現できる。
【０００５】
周波数選択性フェージングによる周波数領域の伝搬路変動を利用する周波数スケジューリング法においては、より良好な受信状態の帯域を用いてデータの伝送を行うために、ユーザ端末は広帯域の受信チャネル品質測定用信号を送信する必要がある。すなわち、Ｅ−ＵＴＲＡの上りリンクでは、受信チャネルの周波数選択性を考慮したデータチャネルの送信帯域の割当てが適用されるため、ユーザ端末（ＵＥ）は、上りリンクの受信チャネル品質を測定するためのパイロット信号（受信チャネル品質測定用信号）を広帯域で送信する必要がある。
【０００６】
しかしながら、基地局から離れた場所にいるＵＥは、広帯域の受信チャネル品質測定用信号を送信する場合、送信電力が制限される。このため、基地局における受信チャネル品質測定用信号の受信電力が小さくなるため、受信チャネル品質の測定精度が劣化する。
【０００７】
そこで、ＵＥと基地局間の距離に応じて、受信チャネル品質測定用信号の送信帯域幅を適応的に制御する方法が提案されている。また、異なる帯域幅の受信チャネル品質測定用信号の多重方法として、以下の２つの方法が提案されている。
【０００８】
Ｄｉｓｔｒｉｂｕｔｅｄ  ＦＤＭＡにより多重する方法（図１）
同一帯域幅の受信チャネル品質測定用信号をグループ化し、Ｌｏｃａｌｉｚｅｄ  ＦＤＭＡにより多重する方法（図２）
同一帯域幅の受信チャネル品質測定用信号は、どちらの方法の場合にもＣＤＭＡにより多重される。
【非特許文献１】3GPP TR 25.814 (V7.0.0), "Physical Layer Aspects for Evolved UTRA," June 2006
【発明の開示】
【発明が解決しようとする課題】
【０００９】
しかしながら、上述した背景技術には以下の問題がある。
【００１０】
狭帯域の受信チャネル品質測定用信号の送信帯域の割り当て方によっては、異なる帯域幅の受信チャネル品質測定用信号の送信帯域の割り当てが不可能となってしまう問題がある。例えば、図３に示すように、所定のシステム帯域幅に対して、該システム帯域幅よりも狭い狭帯域が受信チャネル品質測定用信号の送信帯域として割り当てられる場合について説明する。図３では、ＵＥ１、ＵＥ２及びＵＥ３に対して、受信チャネル品質測定用信号の送信帯域として、システム帯域幅の１／８、１／８及び１／２の帯域がそれぞれ割り当てられる。この場合、例えば、ＵＥ１及びＵＥ２に対して、システム帯域幅の１／２帯域以上離れた帯域がそれぞれ割り当てられる場合、ＵＥ３に対しては送信帯域を割り当てることが不可能になる。
【００１１】
この問題を回避するには、予め受信チャネル品質測定用信号のサブキャリア間隔を広げなければならない。このようにした場合、図４に示すように、多重する帯域幅の種類が増加するにしたがって、サブキャリア間隔が広がる。
【００１２】
しかし、サブキャリア間隔を大きくすると、帯域あたりの送信電力密度、基地局側では、受信信号の電力密度が小さくなるため、受信チャネル状態の測定精度が劣化する。また、各ユーザの送信する受信チャネル品質測定用信号を分離するために乗算する符号系列数が減少する。
【００１３】
そこで本発明は、上記問題に鑑みてなされたものであり、受信チャネル品質測定用信号の送信帯域を効率的に割り当てることができる基地局及びユーザ端末並びに受信チャネル品質測定用信号の送信制御方法を提供することを目的とする。
【課題を解決するための手段】
【００１４】
上記課題を解決するため、本発明の基地局は、
システム帯域幅内に離散的に分散した周波数サブキャリアからなる分散型周波数ブロックを割り当てる分散型ＦＤＭＡにより、各ユーザ端末が送信する受信チャネル品質測定用信号が多重され、
前記システム帯域幅は２分木構造が適用され、各分割帯域は２分され、
各ユーザ端末により通知された、自基地局との間のパスロスに基づいて、各ユーザ端末に割り当てる受信チャネル品質測定用信号の送信帯域幅を決定する送信帯域幅決定手段；
前記分割帯域のうち、決定された送信帯域幅に対応する分割帯域を割り当て、送信周波数を決定する送信周波数決定手段；
前記送信帯域幅及び前記送信周波数を、各ユーザ端末に通知する送信方式通知手段；
を備えることを特徴の１つとする。
【００１５】
このように構成することにより、システム帯域幅内に離散的に分散した周波数サブキャリアからなる分散型周波数ブロックを割り当てる分散型ＦＤＭＡにより、各ユーザ端末が送信する受信チャネル品質測定用信号が多重されるシステムにおいて、システム帯域幅に対して２分木構造が適用され、分割された各分割帯域を、送信帯域として割り当てることができる。
【００１６】
本発明のユーザ端末は、
システム帯域幅内に離散的に分散した周波数サブキャリアからなる分散型周波数ブロックを割り当てる分散型ＦＤＭＡにより、各ユーザ端末が送信する受信チャネル品質測定用信号が多重され、
前記システム帯域幅は２分木構造が適用され、各分割帯域は２分され、
各ユーザ端末により通知された基地局との間のパスロスに基づいて、各ユーザ端末に割り当てる受信チャネル品質測定用信号の送信帯域幅が決定され、前記分割帯域のうち、決定された送信帯域幅に対応する分割帯域が割り当てられることにより、送信周波数が決定され、
基地局により通知された前記送信帯域幅及び前記送信周波数に基づいて、受信チャネル品質測定用信号の信号系列をサブキャリアにマッピングするデータマッピング手段；
を備えることを特徴の１つとする。
【００１７】
このように構成することにより、システム帯域幅内に離散的に分散した周波数サブキャリアからなる分散型周波数ブロックを割り当てる分散型ＦＤＭＡにより、各ユーザ端末が送信する受信チャネル品質測定用信号が多重されるシステムにおいて、システム帯域幅に対して２分木構造が適用され、分割された各分割帯域のうち、送信帯域として割り当てられ帯域を用いて受信チャネル品質測定用信号を送信することができる。
【００１８】
本発明の受信チャネル品質測定用信号の送信制御方法は、
システム帯域幅内に離散的に分散した周波数サブキャリアからなる分散型周波数ブロックを割り当てる分散型ＦＤＭＡにより、各ユーザ端末が送信する受信チャネル品質測定用信号が多重され、
前記システム帯域幅は２分木構造が適用され、各分割帯域は２分され、
各ユーザ端末により通知される該ユーザ装置と自基地局との間のパスロスを受信する受信ステップ；
自基地局との間のパスロスに基づいて、各ユーザ端末に割り当てる受信チャネル品質測定用信号の送信帯域幅を決定する送信帯域幅決定ステップ；
前記分割帯域のうち、決定された送信帯域幅に対応する分割帯域を割り当て、送信周波数を決定する送信周波数決定ステップ；
前記送信帯域幅及び前記送信周波数を、各ユーザ端末に通知する送信方式通知ステップ；
を有することを特徴の１つとする。
【００１９】
このようにすることにより、システム帯域幅内に離散的に分散した周波数サブキャリアからなる分散型周波数ブロックを割り当てる分散型ＦＤＭＡにより、各ユーザ端末が送信する受信チャネル品質測定用信号が多重されるシステムにおいて、システム帯域幅に対して２分木構造が適用され、分割された各分割帯域を、送信帯域として割り当てることができる。
【発明の効果】
【００２０】
本発明の実施例によれば、受信チャネル品質測定用信号の送信帯域を効率的に割り当てることができる基地局及びユーザ端末並びに受信チャネル品質測定用信号の送信制御方法を実現できる。
【発明を実施するための最良の形態】
【００２１】
次に、本発明の実施例について図面を参照して説明する。
なお、実施例を説明するための全図において、同一機能を有するものは同一符号を用い、繰り返しの説明は省略する。
【００２２】
本発明の実施例に係る無線通信システムについて説明する。
【００２３】
本実施例に係る無線通信システムは、ＬＴＥ（Ｌｏｎｇ  Ｔｅｒｍ  Ｅｖｏｌｕｔｉｏｎ）（別名：  Ｅｖｏｌｖｅｄ  ＵＴＲＡ  ａｎｄ  ＵＴＲＡＮ，或いは，Ｓｕｐｅｒ  ３Ｇ）が適用される。
【００２４】
上述したように、無線アクセス方式として、例えば、下りリンクについてはＯＦＤＭ、上りリンクについてはＳＣ−ＦＤＭＡが適用される。ＯＦＤＭは、周波数帯域を複数の狭い周波数帯域（サブキャリア）に分割し、各周波数帯上にデータを載せて伝送を行う方式であり、ＳＣ−ＦＤＭＡは、周波数帯域を分割し、複数の端末間で異なる周波数帯域を用いて伝送することで、端末間の干渉を低減することができる伝送方式である。
【００２５】
次に、本実施例に係る基地局１００について、図５を参照して説明する。
【００２６】
基地局１００は送信装置を備え、送信装置は、ユーザ端末２００より通知されるパスロス、最大送信電力値が入力される送信帯域幅決定部１０２と、送信帯域幅決定部１０２の出力信号が入力される送信周波数決定部１０４と、送信周波数決定部１０４と接続された送信周波数管理部１０６と、送信周波数決定部１０４の出力信号が入力される符号割り当て部１０８と、符号割り当て部１０８と接続された符号管理部１１０と、送信帯域幅決定部１０２、送信周波数管理部１０６及び符号管理部１１０と接続された送信帯域幅制御部１１２とを備える。
【００２７】
本実施例においては、システム帯域幅内に離散的に分散した周波数サブキャリアからなる分散型周波数ブロックを割り当てる分散型ＦＤＭＡ（Ｄｉｓｔｒｉｂｕｔｅｄ  ＦＤＭＡ）により、各ユーザ端末が送信する受信チャネル品質測定用信号は多重される。
【００２８】
送信帯域幅決定部１０２は、ユーザ端末２００が送信する受信チャネル品質測定用信号の送信帯域幅を決定する。例えば、受信チャネル品質測定用信号の送信帯域幅は、自基地局１００とユーザ端末２００との距離に応じて決定される。
【００２９】
例えば、送信帯域幅決定部１０２は、自基地局１００の近傍に位置するユーザに対して広帯域の送信帯域幅を割り当てると決定する。また、送信帯域幅決定部１０２は、自基地局１００の近傍に位置するユーザ以外のユーザに対して、自基地局１００の近傍に位置するユーザに対して割り当てる帯域よりも狭い狭帯域の送信帯域幅を割り当てると決定する。具体的には、送信帯域幅決定部１０２は、ユーザ端末２００より通知されるパスロス及び／又は最大送信電力値に基づいて、受信チャネル品質測定用信号の送信帯域幅を決定する。
【００３０】
ユーザ端末２００が、広い帯域で受信チャネル品質測定用信号を送信した場合、単位帯域当たりの送信電力は小さくなる。したがって、基地局１００においては受信される受信チャネル品質測定用信号の受信レベルが低くなり、測定精度が悪くなる。この場合、基地局１００において、受信チャネル品質測定用信号の受信レベルが悪くないユーザ端末を選択するようにした場合、広い帯域で送信できるユーザ端末が限定される。
【００３１】
そこで、例えば、送信電力に余裕のあるユーザ端末に対しては、周波数領域で間隔を空けて、すなわち広帯域で、受信チャネル品質測定用信号を送信させる。この場合、送信帯域幅決定部１０２は、通知されたパスロスに基づいて、予め規定した受信品質となるような送信電力を推定し、最大送信電力値と該推定値との差が所定の閾値以上であるユーザ端末に対して、受信チャネル品質測定用信号の送信帯域幅を決定する。例えば、予め決定された所定の送信帯域、例えばシステム帯域幅（ＢＷ０）に対して、ＢＷ０／２ｎ（ｎは、ｎ＞０の整数）の帯域が割り当てられる。
【００３２】
送信周波数決定部１０４は、受信チャネル品質測定用信号の送信周波数を決定する。例えば、送信周波数決定部１０４は、送信帯域幅決定部１０２により決定された送信帯域幅に基づいて、受信チャネル品質測定用信号の送信周波数を決定する。例えば、後述する送信周波数管理部１０６に記録された周波数帯域の割り当て状況を参照し、受信チャネル品質測定用信号の送信周波数を決定する。
【００３３】
本実施例に係る基地局装置１００では、送信帯域幅決定部１０２により決定された異なる帯域幅の受信品質測定用信号に対して、直交可変拡散率符号（ＯＶＳＦ：  ｏｒｔｈｏｇｏｎａｌ  ｖａｒｉａｂｌｅ  ｓｐｒｅａｄｉｎｇ  ｆａｃｔｏｒ  ｃｏｄｅ）割り当て的に送信帯域を割り当てる。このように送信帯域を割り当てることにより、受信チャネル品質測定用信号の送信帯域を、システム帯域幅に対する隙間を低減し、効率的に割り当てることができる。また、受信チャネル品質測定用信号のサブキャリア間隔を低減でき、受信チャネル状態の測定精度を高く保つことができると共に、各ユーザの送信する受信チャネル品質測定用信号を分離するために乗算する符号系列数の減少を抑えることができる。
【００３４】
例えば、図６に示すように、システム帯域幅（ＢＷ０）を、木構造を適用し複数に分割する。具体的には、２分木構造を適用し、システム帯域幅を２分岐し、さらに２分岐された帯域幅のうち少なくとも一方を２分岐する。すなわち、各分割された帯域（分割帯域）の少なくとも一方は２分される。以上が繰り返される。２分木とは、それぞれの節から分岐する枝が２本以下である木をいう。したがって、階層数がｎ（ｎは、ｎ＞０の整数）である場合、全分割帯域が２分される場合にはシステム帯域幅（ＢＷ０）はＢＷ０／２ｎに分割される。この場合、所定の部分木から階層数を増加させる。図６には、左部分木から階層数を増加させる場合を示す。
【００３５】
受信チャネル品質測定用信号の送信周波数は、送信帯域幅決定部１０２により決定された受信チャネル品質測定用信号の送信帯域幅に基づいて、同様の帯域幅が割り当てられたユーザ端末に対しては同様の階層数に対応する帯域が割り当てられる。例えば、図６に示すように、送信帯域幅決定部１０２によりＢＷ０／８の帯域が割り当てられたユーザ端末に対しては階層数が３に対応する帯域が割り当てられる。
【００３６】
図６は一例であり、決定された送信帯域幅に応じて適宜階層数を増加させるようにしてもよいし、階層数を増加させる場合に右部分木から増加させるようにしてもよい。
【００３７】
ユーザ端末２００は、割り当てられた帯域を使用して受信チャネル品質測定用信号を送信する。基地局１００は、受信チャネル品質測定用信号の受信状態に基づいて周波数スケジューリングを実行し、各ユーザ端末の送信する受信チャネル品質測定用信号の送信帯域の範囲内で、データチャネルの送信用の帯域を割り当てる。
【００３８】
送信周波数管理部１０６は、送信周波数決定部１０４により割り当てられた周波数帯域の割り当て状況を管理する。例えば、送信周波数管理部１０６には、送信帯域幅制御部１１２により決定された受信チャネル品質測定用信号の帯域幅の組み合わせが入力される。送信周波数管理部１０６は、入力された組み合わせにおいて、現在の各帯域における使用状況、各ユーザが使用している帯域を管理する。
【００３９】
符号割り当て部１０８は、受信チャネル品質測定用信号の符号を決定する。例えば、符号割り当て部１０８は、受信チャネル品質測定用信号を送信する各ユーザ端末を、周波数軸上で直交させるように符号を割り当てる。また、符号割り当て部１０８は、各ユーザ端末２００へ、受信チャネル品質測定用信号の送信帯域幅、送信周波数及び符号を通知する。
【００４０】
符号管理部１１０は、受信チャネル品質測定用信号用に対する符号の割り当て状況を管理する。すなわち、符号管理部１１０は、符号の使用状況を管理する。
【００４１】
送信帯域幅制御部１１２は、各ユーザ端末２００と自基地局１００とのパスロスの分布に応じて、割り当てる受信チャネル品質測定用信号の帯域幅の組み合わせを選択する。選択した組み合わせは、送信周波数管理部１０６に入力される。本実施例においては、２種類の受信チャネル品質測定用信号の帯域幅の組み合わせが用意される。２種類の受信チャネル品質測定用信号の帯域幅の組み合わせのうち、一方はパスロスの大きなユーザ端末が少ない場合に使用され、他方はパスロスの大きなユーザ端末が多い場合に使用される。
【００４２】
パスロスの大きなユーザ端末が少ない場合、すなわち予め決定される所定のパスロス以上となるユーザ端末が、予め決定される所定数未満である場合に使用される組み合わせは、図７に示すように、広帯域の受信チャネル品質測定用信号の送信帯域を割り当てることができる組み合わせが用いられる。図７には、階層数が１、２及び３に対応する送信帯域が示される。このような組み合わせを使用することにより、パスロスの小さなユーザにはＢＷ０／２となる広帯域を割り当てることができ、パスロスの大きなユーザにはＢＷ０／８となる狭帯域を割り当てることができる。
【００４３】
パスロスの大きなユーザ端末が多い場合、すなわち予め決定される所定のパスロス以上となるユーザ端末が、予め決定される所定数以上である場合に使用される組み合わせは、図８に示すように、狭帯域の受信チャネル品質測定用信号の送信帯域を割り当てることができる組み合わせが用いられる。図８には、階層数が２及び３に対応する送信帯域が示される。このような組み合わせを使用することにより、パスロスの大きなユーザにはＢＷ０／４となる狭帯域を割り当てることができ、パスロスのさらに大きなユーザにはＢＷ０／８となる狭帯域を割り当てることができる。
【００４４】
図７及び図８は一例であり適宜変更可能である。
【００４５】
次に、本実施例に係るユーザ端末２００について、図９を参照して説明する。
【００４６】
ユーザ端末２００は受信装置を備え、受信装置は、基地局１００により通知される受信チャネル品質測定用信号の符号を示す情報が入力される送信信号系列生成部２０２と、送信信号系列生成部２０２の出力信号が入力される離散フーリエ変換（ＤＦＴ：  Ｄｉｓｃｒｅｔｅ  Ｆｏｕｒｉｅｒ  ｔｒａｎｓｆｏｒｍ）部２０４と、ＤＦＴ部２０４の出力信号と、基地局１００により通知される送信帯域幅を示す情報及び送信周波数を示す情報が入力されるデータマッピング部２０６と、データマッピング部２０６の出力信号が入力される逆高速フーリエ変換（ＩＦＦＴ：  Ｉｎｖｅｒｓｅ  Ｆａｓｔ  Ｆｏｕｒｉｅｒ  Ｔｒａｎｓｆｏｒｍ）部２０８とを備える。
【００４７】
送信信号系列生成部２０２は、通知された受信チャネル品質測定用信号の符号に基づき、受信チャネル品質測定用信号の信号系列を生成し、ＤＦＴ部２０４に入力する。
【００４８】
ＤＦＴ部２０４は、入力された受信チャネル品質測定用信号の信号系列に対して、離散的フーリエ変換処理を行い、信号系列を生成し、データマッピング部２０６に入力する。例えば、ＤＦＴ部２０４は、時間領域の波形を周波数領域の波形に変換する。
【００４９】
データマッピング部２０６は、通知された送信帯域幅及び送信周波数に基づき、生成した信号系列をサブキャリアにマッピングし、ＩＦＦＴ部２０８に入力する。
【００５０】
例えば、データマッピング部２０６は、通知された送信帯域幅及び送信周波数に基づき、システム帯域幅内に離散的に分散した周波数サブキャリアからなる分散型周波数ブロックにマッピングする。
【００５１】
ＩＦＦＴ部２０８は、サブキャリアにマッピングされた信号系列に対し、逆フーリエ変換処理を行い、送信する。
【００５２】
次に、本実施例に係る無線通信システムの動作について、図１０を参照して説明する。
【００５３】
各ユーザ端末２００は、基地局１００が常に送信している下りパイロット信号を用いて、その送信電力を測定することにより、ユーザ端末２００と基地局１００との間のパスロスを測定し、自ユーザ端末２００の最大送信電力値と共に、基地局１００に通知する（ステップＳ１００２）。また、各ユーザ端末２００は、受信チャネル品質測定用信号の現在の送信電力と、自ユーザ端末２００の最大送信電力とのマージン、例えば差を通知するようにしてもよい。
【００５４】
次に、基地局１００は、各ユーザ端末２００から通知されたユーザ端末２００と基地局１００との間のパスロス及びユーザ端末２００の最大送信電力値に基づいて、受信チャネル品質測定用信号の送信帯域幅の組み合わせを決定する（ステップＳ１００４）。基地局１００は、セル（セクタ）配下のユーザ端末２００のパスロス分布に応じて受信チャネル品質測定用信号の帯域幅の組み合わせを制御する。例えば、パスロスの大きなユーザ端末が少ない場合は、図７を参照して説明したように、広帯域の受信チャネル品質測定用信号が多く取れる（割り当てることができる）組み合わせを選択し、パスロスの大きなユーザ端末が多い場合は、図８を参照して説明したように、狭帯域の受信チャネル品質測定用信号が多く取れる（割り当てることができる）組み合わせを選択する。
【００５５】
次に、基地局１００は、ユーザ端末２００から通知された、自ユーザ端末２００と基地局１００との間のパスロス及びユーザ端末２００の最大送信電力値より、各ユーザ端末の受信チャネル品質測定用信号の送信帯域幅を決定する（ステップＳ１００６）。
【００５６】
次に、基地局１００は、ユーザ端末２００の受信チャネル品質測定用信号の送信周波数及び符号を決定する（ステップＳ１００８）。基地局１００は、ある所定の周期で受信チャネル品質測定用信号の送信周波数帯域、送信周波数及び符号を決定する。基地局１００は、受信チャネル品質測定用信号を送信させる場合、周波数軸上で、各ユーザ端末２００を直交させように符号を割り当てる。
【００５７】
次に、基地局１００からユーザ端末２００に、受信チャネル品質測定用信号の送信帯域幅、送信周波数及び符号を通知する（ステップＳ１０１０）。
【００５８】
次に、ユーザ端末１００は、基地局１００から通知された送信帯域幅、送信周波数及び符号を用いて受信チャネル品質測定用信号を送信する（ステップＳ１０１２）。
【００５９】
次に、基地局１００は、各ユーザ端末２００の受信チャネル品質測定用信号の受信状態に基づいて、スケジューリングを実行し、各ユーザ端末が受信チャネル品質測定用信号を送信している帯域の範囲で、データチャネルの送信用の帯域を割り当てる（ステップＳ１０１４）。
【００６０】
本実施例によれば、帯域あたりの電力密度を高く保ちつつ、（周波数領域で）広範囲の伝搬路状態を測定することが可能となる。その結果、周波数スケジューリングを適用することにより、より伝搬路状態のよい帯域を用いて、データチャネルを送信することが可能となる。
【００６１】
また、受信チャネル品質測定用信号の送信帯域を隙間なく、効率的に割り当てることができる。また、受信チャネル品質測定用信号のサブキャリア間隔を低減でき、受信チャネル状態の測定精度を高く保つことができると共に、コード系列数の減少を抑えることができる。
【産業上の利用可能性】
【００６２】
本発明に係る基地局及びユーザ端末並びに受信チャネル品質測定用信号の送信制御方法は、無線通信システムに適用できる。
【図面の簡単な説明】
【００６３】
【図１】異なる帯域幅の受信チャネル品質測定用信号の多重方法を示す説明図である。
【図２】異なる帯域幅の受信チャネル品質測定用信号の多重方法を示す説明図である。
【図３】受信チャネル品質測定用信号の送信帯域の割り当てにおける問題点を示す説明図である。
【図４】受信チャネル品質測定用信号の送信帯域の割り当てにおける問題点を示す説明図である。
【図５】本発明の一実施例に係る基地局を示す部分ブロック図である。
【図６】本発明の一実施例に係る受信チャネル品質測定用信号の送信帯域の割り当て方法を示す説明図である。
【図７】本発明の一実施例に係る受信チャネル品質測定用信号の送信帯域の割り当て方法を示す説明図である。
【図８】本発明の一実施例に係る受信チャネル品質測定用信号の送信帯域の割り当て方法を示す説明図である。
【図９】本発明の一実施例に係るユーザ端末を示す部分ブロック図である。
【図１０】本発明の一実施例に係る無線通信システムの動作を示すフロー図である。
【符号の説明】
【００６４】
１００  基地局
１０２  送信帯域幅決定部
１０４  送信周波数決定部
１０６  送信周波数管理部
１０８  符号割り当て部
１１０  符号管理部
１１２  送信帯域幅制御部
２００  ユーザ端末
２０２  送信信号系列生成部
２０４  離散フーリエ変換（ＤＦＴ：  Ｄｉｓｃｒｅｔｅ  Ｆｏｕｒｉｅｒ  ｔｒａｎｓｆｏｒｍ）部
２０６  データマッピング部
２０８  逆高速フーリエ変換（ＩＦＦＴ：  Ｉｎｖｅｒｓｅ  Ｆａｓｔ  Ｆｏｕｒｉｅｒ  Ｔｒａｎｓｆｏｒｍ）部
【図１】
2008172375.tif 000003
【図２】
2008172375.tif 000004
【図３】
2008172375.tif 000005
【図４】
2008172375.tif 000006
【図５】
2008172375.tif 000007
【図６】
2008172375.tif 000008
【図７】
2008172375.tif 000009
【図８】
2008172375.tif 000010
【図９】
2008172375.tif 000011
【図１０】
2008172375.tif 000012